(57)【要約】【課題】本発明は、外部電源を効率的に使用できるようにすることを目的とする。【解決手段】本発明の電子機器は、表示部を有する電子機器であって、電子機器への電力の供給元が電子機器に接続された外部装置に接続された外部電源であり、第１の処理において外部装置を利用しない設定である場合、外部電源による電子機器の駆動時間を長くするためのガイドを表示部に表示するよう制御する表示制御手段を有する。【選択図】図３
2020010259.tif 000002
【特許請求の範囲】
【請求項１】
表示部を有する電子機器であって、
前記電子機器への電力の供給元が前記電子機器に接続された外部装置に接続された外部電源であり、第１の処理において前記外部装置を利用しない設定である場合、前記外部電源による前記電子機器の駆動時間を長くするためのガイドを前記表示部に表示するよう制御する表示制御手段を有する電子機器。
【請求項２】
前記電子機器への電力の供給元が前記電子機器に接続された外部装置に接続された外部電源であり、前記第１の処理において前記外部装置を利用しない設定である場合、前記表示制御手段は、前記ガイドと共に、前記外部装置から受信した情報に基づく前記外部電源の電源情報を、前記表示部に表示するよう制御する請求項１記載の電子機器。
【請求項３】
前記電子機器への電力の供給元が前記電子機器に接続された前記外部装置に接続された前記外部電源であり、前記第１の処理において前記外部装置を利用する設定である場合、前記表示制御手段は、前記外部装置から受信した情報に基づいて、前記外部電源の電源情報を表示するよう制御する請求項１又は２記載の電子機器。
【請求項４】
前記電子機器への電力の供給元が前記電子機器に接続された前記外部装置に接続された前記外部電源であり、前記第１の処理において前記外部装置を利用する設定である場合、前記表示制御手段は、前記表示部に前記ガイドを表示しないよう制御する請求項１乃至３何れか１項記載の電子機器。
【請求項５】
前記電子機器への電力の供給元が前記電子機器に接続された前記外部装置に接続された前記外部電源でない場合、前記表示制御手段は、前記表示部に前記ガイドを表示しないよう制御する請求項１乃至４何れか１項記載の電子機器。
【請求項６】
前記電子機器への電力の供給元が前記電子機器に接続された前記外部装置に接続された前記外部電源であり、前記第１の処理において前記外部装置を利用しない設定であり、前記外部装置の省電力設定がオフである場合、前記表示制御手段は、前記ガイドを前記表示部に表示するよう制御する請求項１乃至５何れか１項記載の電子機器。
【請求項７】
前記電子機器への電力の供給元が前記電子機器に接続された前記外部装置に接続された前記外部電源であり、前記第１の処理において前記外部装置を利用しない設定であり、前記外部装置の省電力設定がオンである場合、前記表示制御手段は、前記外部装置の省電力設定がオンであるため、前記外部電源の情報を取得できない旨を前記表示部に表示するよう制御する請求項１乃至６何れか１項記載の電子機器。
【請求項８】
前記電子機器への電力の供給元が前記電子機器に接続された前記外部装置に接続された前記外部電源であり、前記第１の処理において前記外部装置を利用しない設定であり、前記外部装置の省電力設定がオンである場合、前記外部装置を省電力状態にするよう制御する制御手段を更に有する請求項１乃至７何れか１項記載の電子機器。
【請求項９】
前記ガイドは、前記外部装置を前記電子機器から取り外し、前記外部電源を前記電子機器に取り付けることにより前記外部電源による前記電子機器の駆動時間を長くすることができる旨のメッセージである請求項１乃至８何れか１項記載の電子機器。
【請求項１０】
前記表示制御手段は、前記ガイドを表示するか否かの設定に基づいて、前記ガイドの表示と非表示とを切り替える請求項１乃至９何れか１項記載の電子機器。
【請求項１１】
前記電子機器への電力の供給元が前記電子機器に接続された前記外部装置に接続された前記外部電源であり、前記第１の処理において前記外部装置を利用しない設定であり、前記ガイドの表示設定が第１の設定の場合、前記ガイドを前記表示部に表示するよう制御し、
前記電子機器への電力の供給元が前記電子機器に接続された前記外部装置に接続された前記外部電源であり、前記第１の処理において前記外部装置を利用しない設定であり、前記ガイドの表示設定が第２の設定の場合、前記外部電源による前記電子機器の駆動時間が、前記外部電源を前記電子機器に接続した場合より短くなる旨の他のガイドを前記表示部に表示するよう制御する請求項１乃至１０何れか１項記載の電子機器。
【請求項１２】
前記外部装置と接続するインタフェース部からの信号及び前記電子機器で使用される電力を制御する電源制御部からの信号の少なくとも何れかに基づいて、前記電子機器への電力の供給元が前記電子機器に接続された前記外部装置に接続された前記外部電源であるか否かを判定する第１の判定手段と、
記録部に記録された情報に基づいて、前記第１の処理において前記外部装置を利用する設定であるか否かを判定する第２の判定手段と、
を更に有し、
前記第１の判定手段によって前記電子機器への電力の供給元が前記電子機器に接続された前記外部装置に接続された前記外部電源であると判定され、前記第２の判定手段によって前記第１の処理において前記外部装置を利用しない設定であると判定された場合、前記表示制御手段は、前記ガイドを前記表示部に表示するよう制御する請求項１乃至１１何れか１項記載の電子機器。
【請求項１３】
前記電子機器は、撮像装置である請求項１乃至１２何れか１項記載の電子機器。
【請求項１４】
前記外部装置は、前記電子機器から受信したデータを記録するレコーダである請求項１乃至１３何れか１項記載の電子機器。
【請求項１５】
前記第１の処理は、データを記録する処理である請求項１乃至１４何れか１項記載の電子機器。
【請求項１６】
表示部を有する電子機器の制御方法であって、
前記電子機器への電力の供給元が前記電子機器に接続された外部装置に接続された外部電源であり、第１の処理において前記外部装置を利用しない設定である場合、前記外部電源による前記電子機器の駆動時間を長くするためのガイドを前記表示部に表示するよう制御する電子機器の制御方法。
【請求項１７】
コンピュータを、請求項１乃至１５何れか１項記載の電子機器の手段として機能させるためのプログラム。
【発明の詳細な説明】
【技術分野】
【０００１】
本発明は、電子機器、電子機器の制御方法、及び、プログラムに関する。
【背景技術】
【０００２】
特許文献１には、バッテリ駆動可能な携帯電子機器と接続可能なデジタルカメラが記載されている。特許文献１のデジタルカメラは、第１のバッテリと接続部と電源入力端子と電源切替手段とを有する。第１のバッテリは、カメラ動作に必要な電力の供給元となる。接続部は、携帯電子機器との電気的接続を行う。電源入力端子は、接続部を介して接続された携帯電子機器に装着されている第２のバッテリから電源の供給を受け入れる。電源切替手段は、第１のバッテリ及び第２のバッテリのうち何れか一方から電源が供給されるように電源を選択的に切り替える。
【先行技術文献】
【特許文献】
【０００３】
【特許文献１】特開２００３−１８４４１号公報
【発明の概要】
【発明が解決しようとする課題】
【０００４】
電子機器に外部装置が接続されていて、電子機器への電力の供給元が外部装置に取り付けられている外部電源の場合、外部電源は電力を外部装置及び撮像装置に供給する。したがって、この場合、外部電源が電子機器に接続され電子機器への電力の供給元が電子機器に接続された外部電源である場合と比べて、外部電源による電子機器の駆動時間が短くなる。特許文献１には、外部電源を効率的に使用できるようにする方法の記載はない。
【課題を解決するための手段】
【０００５】
本発明の電子機器は、表示部を有する電子機器であって、前記電子機器への電力の供給元が前記電子機器に接続された外部装置に接続された外部電源であり、第１の処理において前記外部装置を利用しない設定である場合、前記外部電源による前記電子機器の駆動時間を長くするためのガイドを前記表示部に表示するよう制御する表示制御手段を有する。
【発明の効果】
【０００６】
本発明によれば、外部電源を効率的に使用できる。
【図面の簡単な説明】
【０００７】
【図１】デジタルカメラ等の一例を示す外観図である。
【図２】デジタルカメラ及びレコーダ２００等の構成の一例を示す図である。
【図３】デジタルカメラの表示処理の一例を示すフローチャートである。
【図４】デジタルカメラの表示処理の一例を示すフローチャートである。
【図５】デジタルカメラの表示画面の一例を示す図である。
【発明を実施するための形態】
【０００８】
（第１の実施形態）
まず、図１（ａ）を参照して、デジタルカメラ１００について説明する。図１（ａ）は、デジタルカメラ１００の一例を示す外観図である。デジタルカメラ１００は、電子機器の一例である。また、デジタルカメラ１００は、撮像装置の一例である。
デジタルカメラ１００は、操作部７０と、表示部２８と、ファインダ７６と、外部Ｉ／Ｆ７７と、電源Ｉ／Ｆ７５とを有する。
操作部７０は、ユーザからの各種操作を受け付ける各種スイッチ、ボタン等の操作部材より成る。シャッターボタン６１及び電源スイッチ７２は、操作部７０の一部である。シャッターボタン６１は、撮影指示を行うためのボタンである。電源スイッチ７２は、電源オン、電源オフを切り替えるための押しボタンである。
表示部２８は、デジタルカメラ１００の側面に配置され、メニュー項目及び各種情報を表示したり、撮像画像を表示したりすることができる。表示部２８には、電力の供給元や残量等や、撮影に関する設定値等が表示される。
表示部２８の上下には、操作部７０に含まれるボタンが配置される。表示部２８の上下に配置されるボタンは、表示部２８に表示される各アイテムに対応しており、各ボタンの押下により表示部２８上のアイテムが選択可能となる。
【０００９】
ファインダ７６は、デジタルカメラ１００で撮像された画像が表示される電子ビューファインダである。
外部Ｉ／Ｆ７７には、バッテリ３００又はレコーダ２００が装着可能である。外部Ｉ／Ｆ７７は、電力の入力、及び、映像信号、音声信号、制御信号の入出力を行うためのインタフェース部（電力供給や外部入力を受付け可能な部材）である。
電源Ｉ／Ｆ７５は、例えばＡＣアダプタが装着可能な電源入力のインタフェース部材である。電源Ｉ／Ｆ７５から入力された電力は、外部Ｉ／Ｆ７７から入力された電力よりも優先して使用される。
デジタルカメラ１００に取り付けられる記録媒体７３は、メモリカードやハードディスク等の不揮発性の記録媒体であり、図２に示すデジタルカメラ１００の記録媒体Ｉ／Ｆ１８と接続可能な記録媒体である。
【００１０】
次に、図１（ｂ）を参照して、レコーダ２００について説明する。図１（ｂ）は、デジタルカメラ１００とレコーダ２００とが接続された状態のデジタルカメラ１００及びレコーダ２００の一例を示す外観図である。レコーダ２００は、外部装置の一例である。
レコーダ２００は、デジタルカメラ１００と接続可能である。デジタルカメラ１００の外部Ｉ／Ｆ７７と図２に示すレコーダ２００の外部Ｉ／Ｆ２０６とを接続することで、デジタルカメラ１００とレコーダ２００とが接続される。レコーダ２００は、記録媒体Ｉ／Ｆ２０４と、取り外し可能な記録媒体２０５とを有する。
レコーダ２００は、デジタルカメラ１００が記録媒体７３に記録する場合と比べて、容量の大きなデータを記録可能である。また、レコーダ２００は、画像に関する処理能力が、デジタルカメラ１００より高い。レコーダ２００は高速な画像処理と記録処理とを行うため、レコーダ２００の消費電力は高くなる傾向がある。また、レコーダ２００がＲＡＷ画像データを扱う場合、高速な画像処理及び記録処理が必要になり、ＲＡＷ画像データを扱わない場合と比べてレコーダ２００の消費電力は高くなる。
【００１１】
ここで、レコーダ２００の動作モードについて説明する。レコーダ２００の動作モードには、通常モードと省電力モードとが含まれる。通常モードは、レコーダ２００が画像処理、記録処理及びバッテリ情報送信処理等が可能な動作モードである。バッテリ情報送信処理は、レコーダ２００に接続したバッテリ３００のバッテリ情報をデジタルカメラ１００に送信する処理である。省電力モードは、通常モードより消費電力が低く、画像処理、記録処理及びバッテリ情報送信処理が行えない状態である。レコーダ２００は、レコーダ２００が有する操作部が受け付けるユーザの操作、又は、デジタルカメラ１００から受信する指示に基づいて、動作モードを変更できる。本実施形態では、省電力モードは、レコーダ２００の電源がオフになっている状態である。レコーダ２００の電源がオフの省電力モードでは、デジタルカメラ１００とレコーダ２００とが接続していてレコーダ２００とバッテリ３００と接続している場合、バッテリ３００の電力は、デジタルカメラ１００に供給される。そして、バッテリ３００の電力は、レコーダ２００で使用されない。レコーダ２００が省電力モードの場合のことを、レコーダ２００が省電力状態であるとも呼ぶ。
【００１２】
次に、図１（ｃ）を参照して、バッテリ３００について説明する。図１（ｃ）は、デジタルカメラ１００とレコーダ２００とバッテリ３００とが接続された状態のデジタルカメラ１００、レコーダ２００及びバッテリ３００の一例を示す外観図である。
バッテリ３００は、レコーダ２００と接続可能である。図１（ｂ）に示すレコーダ２００の電源Ｉ／Ｆ２０７と図２に示すバッテリ３００の電源Ｉ／Ｆ３０８とを接続することで、レコーダ２００とバッテリ３００とが接続される。バッテリ３００は、電源Ｉ／Ｆ３０８、レコーダ２００の電源Ｉ／Ｆ２０７、レコーダ２００の外部Ｉ／Ｆ２０９、及び、デジタルカメラ１００の外部Ｉ／Ｆ７７を介して、デジタルカメラ１００への給電が可能である。バッテリ３００は、外部電源の一例である。
【００１３】
次に、図２を参照して、デジタルカメラ１００の構成について説明する。図２は、デジタルカメラ１００及びレコーダ２００等の構成の一例を示す図である。図２の状態では、デジタルカメラ１００が、レコーダ２００及びＡＣアダプタと接続した状態であり、レコーダ２００はバッテリ３００と接続した状態である。
デジタルカメラ１００は、レンズ群１０１と、撮像部２２と、Ａ／Ｄ変換器２３と、画像処理部２４と、メモリ制御部１５と、メモリ３２と、Ｄ／Ａ変換器１３と、表示部２８と、不揮発性メモリ５６とを有する。また、デジタルカメラ１００は、システム制御部５０と、システムメモリ５２と、システムタイマー５３と、操作部７０と、電圧測定部７４と、電源制御部８０と、電源Ｉ／Ｆ７５と、外部Ｉ／Ｆ７７と、記録媒体Ｉ／Ｆ１８と、通信部５４とを有する。
【００１４】
レンズ群１０１は、撮影レンズ、シャッターを含む。
撮像部２２は、光学像を電気信号に変換するＣＣＤ又はＣＭＯＳ素子等で構成される撮像素子である。
Ａ／Ｄ変換器２３は、撮像部２２から出力されるアナログ信号をデジタル信号に変換する。
画像処理部２４は、Ａ／Ｄ変換器２３からのデータ、又は、メモリ制御部１５からのデータに対し所定の画素補間、縮小といったリサイズ処理及び色変換処理を行う。
Ａ／Ｄ変換器２３からの出力データは、画像処理部２４及びメモリ制御部１５を介して、又は、画像処理部２４を介さずにメモリ制御部１５を介して、メモリ３２に書き込まれる。
【００１５】
メモリ３２は、撮像部２２によって得られＡ／Ｄ変換器２３によりデジタルデータに変換された画像データ、及び、表示部２８に表示するための画像データ等を格納する。メモリ３２は、所定枚数の静止画像や所定時間の動画像及び音声を格納するのに十分な記憶容量を備えている。また、メモリ３２は画像表示用のメモリ（ビデオメモリ）を兼ねている。
Ｄ／Ａ変換器１３は、メモリ３２に格納されている画像表示用のデータをアナログ信号に変換して表示部２８やファインダ７６に供給する。こうして、メモリ３２に書き込まれた表示用の画像データはＤ／Ａ変換器１３を介して表示部２８やファインダ７６により表示される。
【００１６】
表示部２８は、ＬＣＤ等の表示器を有し、表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３でアナログ変換し、表示部２８やファインダ７６に逐次転送して、表示部２８及びファインダ７６がスルー画像表示（ライブビュー表示）をする。これにより、表示部２８及びファインダ７６は、電子ビューファインダとして機能する。
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記録される。不揮発性メモリ５６に記録されるプログラムには、図３、図４のフローチャートを実行するためのコンピュータプログラムが含まれる。不揮発性メモリ５６は、記録部の一例である。
【００１７】
システム制御部５０は、少なくとも１つのプロセッサーを内蔵し、デジタルカメラ１００全体を制御する。システム制御部５０は、不揮発性メモリ５６に記録されたプログラムを実行することで、後述する本実施形態の各処理を実現する。また、システム制御部５０は、メモリ３２、Ｄ／Ａ変換器１３、表示部２８等を制御することにより表示制御を行う。
システムメモリ５２には、ＲＡＭが用いられる。システムメモリ５２には、システム制御部５０の動作用の定数、変数、不揮発性メモリ５６から読み出したプログラム等が展開される。
システムタイマー５３は、各種制御に用いる時間や内蔵された時計の時間を計測する計時部である。
操作部７０は、システム制御部５０に各種の動作指示を入力するための操作手段である。操作部７０は、モード切替スイッチ６０、シャッターボタン６１、電源スイッチ７２を含む。また、操作部７０に含まれる一部の部材は、表示部２８に表示される種々の機能アイテムを選択操作すること等により、場面ごとに適宜機能が割り当てられ、各種機能ボタンとして作用する。
【００１８】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電力を必要な期間、記録媒体７３を含む各部へ供給する。電源制御部８０は、デジタルカメラ１００で使用される電力を制御する。
電源Ｉ／Ｆ７５は、外部のＡＣアダプタと接続するためのインタフェース（接続部）である。
外部Ｉ／Ｆ７７は、バッテリ３００又はレコーダ２００等の装置と接続するためのインタフェースである。
【００１９】
外部Ｉ／Ｆ７７にバッテリ３００が接続された場合、及び、電源Ｉ／Ｆ７５にＡＣアダプタが接続された場合の何れの場合も、電圧測定部７４は、電圧をＡＤ変換によりＤＣ電圧にして測定することができる。電圧測定部７４で測定された電圧は電源制御部８０に伝わり、入力される電圧の制御（メイン電源の決定）等に使われる。
記録媒体Ｉ／Ｆ１８は、メモリカード及びハードディスク等の記録媒体７３とのインタフェースである。
記録媒体７３は、撮影時に画像を記録するための不揮発性の記録媒体である。記録媒体７３は、半導体メモリや光ディスク、磁気ディスク等から構成される。記録媒体７３にはメモリカード等が使用される。高画質の動画や、長時間の動画等の大きな容量の撮影をする場合には記録媒体７３では容量が足りない場合がある。このように大きな容量の記録媒体が必要となる場合には、デジタルカメラ１００にレコーダ２００を接続して記録をする。
【００２０】
通信部５４は、無線又は有線ケーブルによって外部機器やネットワークと接続し、映像信号、音声信号、電力源の残量に関する情報等の送受信を行う。通信部５４は、無線ＬＡＮ（Ｌｏｃａｌ  Ａｒｅａ  Ｎｅｔｗｏｒｋ）やインターネットとも接続可能である。通信部５４は、撮像部２２で撮像した画像（スルー画像を含む）や、記録媒体７３に記録された画像を送信可能である。また、通信部５４は、外部機器から画像データやその他の各種情報を受信することができる。ただし、通信部５４が電力源と通信を行う場合、その電力源がデジタルカメラ１００に対応していないと、通信できない可能性がある。
【００２１】
デジタルカメラ１００の電源Ｉ／Ｆ７５にＡＣアダプタが接続している。また、デジタルカメラ１００の外部Ｉ／Ｆ７７とレコーダ２００の外部Ｉ／Ｆ２０６とが接続することで、デジタルカメラ１００とレコーダ２００とが接続している。図２の状態では、デジタルカメラ１００の電源Ｉ／Ｆ７５にＡＣアダプタが接続しており、デジタルカメラ１００はＡＣアダプタからの電力供給を優先的に受け付けるので、デジタルカメラ１００はＡＣアダプタより電力を供給されている。
【００２２】
次に、図２を参照して、レコーダ２００の構成について説明する。レコーダ２００は、外部Ｉ／Ｆ２０６と、電源Ｉ／Ｆ２０７と、内部バス２５０と、ＣＰＵ２０２と、メモリ２０１と、不揮発性メモリ２０３と、記録媒体Ｉ／Ｆ２０４とを有する。
外部Ｉ／Ｆ２０６は、デジタルカメラ１００等の装置と接続するためのインタフェースである。図２の状態では、外部Ｉ／Ｆ２０６は、デジタルカメラ１００の外部Ｉ／Ｆ７７と接続している。デジタルカメラ１００の撮像部２２で撮像された画像データは、外部Ｉ／Ｆ７７を介して、レコーダ２００の記録媒体２０５へ記録される。記録媒体２０５の容量は、デジタルカメラ１００の記録媒体Ｉ／Ｆ１８と接続する記録媒体７３の容量よりも大きい。
【００２３】
電源Ｉ／Ｆ２０７は、バッテリ３００やＡＣアダプタを装着可能な電源入力のインタフェースである。電源Ｉ／Ｆ２０７から入力される電源によってレコーダ２００は動作する。電源Ｉ／Ｆ２０７は、電圧変換部を有し、電源Ｉ／Ｆ２０７に装着されたバッテリ３００やＡＣアダプタの電源出力は１６Ｖ等の所定の電圧に変換され、外部Ｉ／Ｆ２０６を通してデジタルカメラ１００にも電力が供給される。ただし、デジタルカメラ１００の電力供給元であるＡＣアダプタから、レコーダ２００側へ電力が供給されることはない。電源Ｉ／Ｆ２０７と外部Ｉ／Ｆ２０６とは、内部バス２５０を通して接続している。
【００２４】
内部バス２５０には、更に、ＣＰＵ２０２、メモリ２０１、不揮発性メモリ２０３、記録媒体Ｉ／Ｆ２０４が接続されている。内部バス２５０に接続される各部は、内部バス２５０を介して互いにデータのやりとりを行うことができる。
メモリ２０１は、例えばＲＡＭ（半導体素子を利用した揮発性のメモリ等）からなる。
ＣＰＵ２０２は、レコーダ２００の全体を制御する。ＣＰＵ２０２は、例えば不揮発性メモリ２０３に格納されるプログラムに従い、メモリ２０１をワークメモリとして用いて、レコーダ２００の各部を制御する。
【００２５】
不揮発性メモリ２０３には、画像データや音声データ、その他のデータ、ＣＰＵ２０２が動作するための各種プログラム等が格納される。不揮発性メモリ２０３は、例えばハードディスク（ＨＤ）やＲＯＭ等で構成される。
記録媒体Ｉ／Ｆ２０４は、例えばメディアスロットであり、ＳＳＤ（ソリッドステートドライブ）、ＨＤＤ（ハードディスクドライブ）といった記録媒体２０５が装着可能である。記録媒体Ｉ／Ｆ２０４は、ＣＰＵ２０２の制御に基づき、装着された記録媒体２０５からのデータの読み出しや、記録媒体２０５に対するデータの書き込みを行う。
図２では、レコーダ２００の電源Ｉ／Ｆ２０７とバッテリ３００の電源Ｉ／Ｆ３０８とが接続することで、レコーダ２００とバッテリ３００とが接続している。図２の状態では、レコーダ２００はバッテリ３００から電力供給を受けている。
【００２６】
次に、図３を参照して、デジタルカメラ１００の表示処理について説明する。図３は、デジタルカメラ１００の表示処理の一例を示すフローチャートである。図３の処理は、システム制御部５０が不揮発性メモリ５６に記録されたプログラムをシステムメモリ５２に展開して実行することで実現する。図３の処理は、デジタルカメラ１００に電源が入り、表示部２８への表示が可能になると開始する。
【００２７】
Ｓ３０１において、デジタルカメラ１００のシステム制御部５０は、外部Ｉ／Ｆ７７の出力信号に基づいて、デジタルカメラ１００の外部Ｉ／Ｆ７７とレコーダ２００の外部Ｉ／Ｆ２０６とが接続しているか否かを判定する。システム制御部５０は、デジタルカメラ１００とレコーダ２００とが接続していると判定した場合、処理をＳ３０２に進め、接続していないと判定した場合、処理をＳ３０７に進める。デジタルカメラ１００の外部Ｉ／Ｆ７７とレコーダ２００の外部Ｉ／Ｆ２０６とが接続している場合が、デジタルカメラ１００とレコーダ２００とが接続している場合に相当する。
【００２８】
Ｓ３０２において、システム制御部５０は、電源制御部８０の出力信号に基づいて、デジタルカメラ１００への電力の供給元がレコーダ２００に接続したバッテリ３００であるか否かを判定する。システム制御部５０は、デジタルカメラ１００への電力の供給元がレコーダ２００に接続したバッテリ３００であると判定した場合、処理をＳ３０３に進める。システム制御部５０は、デジタルカメラ１００への電力の供給元がレコーダ２００に接続したバッテリ３００ではなく、デジタルカメラ１００の電源Ｉ／Ｆ７５がＡＣアダプタを介して接続したＡＣ電源であると判定した場合、処理をＳ３０６に進める。Ｓ３０１、Ｓ３０２の処理は、第１の判定処理の一例である。
【００２９】
Ｓ３０３において、システム制御部５０は、不揮発性メモリ５６等に記録された設定情報に基づいて、映像データの記録先がデジタルカメラ１００の記録媒体７３であるか否かを判定する。システム制御部５０は、映像データの記録先が記録媒体７３であると判定した場合、処理をＳ３０４へ進める。システム制御部５０は、映像データの記録先が、記録媒体７３ではなく、レコーダ２００の記録媒体Ｉ／Ｆ２０４と接続された記録媒体２０５と判定した場合、処理をＳ３０５へ進める。映像データの記録先がレコーダ２００の記録媒体Ｉ／Ｆ２０４と接続された記録媒体２０５であることを、映像データの記録先がレコーダ２００であるとも呼ぶ。映像データの記録先としては、記録媒体７３とレコーダ２００とがあり、操作部７０に対するユーザの操作に基づいて、システム制御部５０は映像データの記録先の設定を変更できる。映像データは、例えば、デジタルカメラ１００が撮像する静止画データ及び動画データである。映像データの記録先が記録媒体７３の設定の場合、すなわち、映像データの記録先がレコーダ２００ではなくデジタルカメラ１００の設定の場合は、第１の処理においてレコーダ２００を利用しない設定の一例である。映像データの記録先がデジタルカメラ１００ではなくレコーダ２００の設定の場合は、第１の処理においてレコーダ２００を利用する設定の一例である。レコーダ２００がデジタルカメラ１００から映像データを受信して記録する処理は、第１の処理の一例である。Ｓ３０３の処理は、第２の判定処理の一例である。
【００３０】
Ｓ３０４において、システム制御部５０は、図５（ａ）に示すように、表示部２８にガイドを表示するよう制御する。Ｓ３０４で表示されるガイドは、レコーダ２００をデジタルカメラ１００から取り外し、レコーダ２００に接続されているバッテリ３００をデジタルカメラ１００に直接接続することでバッテリ３００によるデジタルカメラ１００の駆動時間を長くできる旨を示す。Ｓ３０４に進んだ場合、バッテリ３００の電圧又はバッテリ３００の残量等を表示するために、常にレコーダ２００を起動させている状態である。バッテリ３００のバッテリ３００の電圧又はバッテリ３００の残量等を表示しつつ、バッテリ３００の電力を効率的に使用するためには、Ｓ３０４で表示されるガイドが示すように、バッテリ３００をデジタルカメラ１００に直接接続することが好ましい。
Ｓ３０５において、システム制御部５０は、外部Ｉ／Ｆ７７を介して、レコーダ２００から、バッテリ情報を受信する。バッテリ情報は、レコーダ２００に接続したバッテリ３００の情報である。そして、システム制御部５０は、受信したバッテリ情報に基づいて、表示部２８の電源電圧表示領域に表示用のバッテリ情報を表示するよう制御する。第１の実施形態では、表示用のバッテリ情報は、バッテリ３００の電圧である。ただし、表示用のバッテリ情報は、バッテリ３００の残量を示す情報等、他の情報であってもよい。表示用のバッテリ情報は、電源情報の一例である。
【００３１】
処理がＳ３０６に進む場合、デジタルカメラ１００への電力の供給元は、デジタルカメラ１００の電源Ｉ／Ｆ７５がＡＣアダプタを介して接続したＡＣ電源である。Ｓ３０６において、電圧測定部７４は、既に説明したように、ＡＣ電源の電圧を直流に変換してＤＣ電圧を測定して、測定したＤＣ電圧をシステム制御部５０に出力する。そして、システム制御部５０は、表示部２８の電源電圧表示領域に、電圧測定部７４から取得したＤＣ電圧を表示するよう制御する。Ｓ３０６で表示されるＤＣ電圧は、デジタルカメラ１００への電力の供給元となるＡＣ電源の電圧に対応するＤＣ電圧である。
Ｓ３０７において、システム制御部５０は、電源制御部８０の出力信号に基づいて、デジタルカメラ１００への電力の供給元が、デジタルカメラ１００の電源Ｉ／Ｆ７５がＡＣアダプタを介して接続したＡＣ電源であるか否かを判定する。システム制御部５０は、デジタルカメラ１００への電力の供給元がＡＣ電源であると判定した場合、処理をＳ３０８に進める。システム制御部５０は、デジタルカメラ１００への電力の供給元がＡＣ電源ではなく、デジタルカメラ１００に接続したバッテリ３００であると判定した場合、処理をＳ３０９に進める。
【００３２】
Ｓ３０８において、システム制御部５０は、Ｓ３０６と同様に、表示部２８の電源電圧表示領域に、電圧測定部７４から取得したＤＣ電圧を表示するよう制御する。
Ｓ３０９において、システム制御部５０は、電圧測定部７４からデジタルカメラ１００に接続したバッテリ３００の電圧を取得する。そして、システム制御部５０は、取得したバッテリ３００の電圧に基づいて、表示部２８の電源電圧表示領域に表示用のバッテリ情報を表示するよう制御する。上記のように、第１の実施形態では、表示用のバッテリ情報は、バッテリ３００の電圧である。ただし、表示用のバッテリ情報は、バッテリ３００の残量を示す情報等、他の情報であってもよい。
Ｓ３０４からＳ３０６、Ｓ３０８、Ｓ３０９の処理は、表示制御処理の一例である。
【００３３】
以上説明したように、次の第１から第３の条件を満たす場合、デジタルカメラ１００は、バッテリ３００をデジタルカメラ１００に直接接続することでバッテリ３００によるデジタルカメラ１００の駆動時間を長くできる旨を示すガイドを表示するよう制御する。第１の条件を満たす場合とは、デジタルカメラ１００にレコーダ２００が接続されている場合である。第２の条件を満たす場合とは、デジタルカメラ１００がレコーダ２００に接続されたバッテリ３００からレコーダ２００を介して電力を供給されている場合である。第３の条件を満たす場合とは、デジタルカメラ１００が撮像等で取得した映像データの記録先がデジタルカメラ１００の記録媒体７３であり、レコーダ２００ではない場合である。
【００３４】
ユーザは、デジタルカメラ１００に表示されるガイドにしたがって、デジタルカメラ１００からレコーダ２００を取り外して、バッテリ３００をデジタルカメラ１００に接続することで、次のように、デジタルカメラ１００の駆動時間を長くできる。すなわち、バッテリ３００の電力によるデジタルカメラ１００の駆動時間を、デジタルカメラ１００がレコーダ２００に接続されたバッテリ３００から電力を供給されている場合より長くできる。したがって、バッテリ３００を効率的に使用できる。
【００３５】
また、デジタルカメラ１００がレコーダ２００に接続されたバッテリ３００から電力を供給されている場合、ユーザは、レコーダ２００を省電力モードにすることでも、バッテリ３００の電力によるデジタルカメラ１００の駆動時間を長くできる。ただし、レコーダ２００を省電力モードにすると、デジタルカメラ１００はレコーダ２００からバッテリ３００の情報を受信できないため、デジタルカメラ１００はバッテリ３００の電圧を表示できない。しかし、ユーザが、デジタルカメラ１００に表示されるガイドにしたがって、デジタルカメラ１００からレコーダ２００を取り外して、バッテリ３００をデジタルカメラ１００に接続することで、次のことが可能となる。すなわち、デジタルカメラ１００の駆動時間を長くしつつ、バッテリ３００の電圧を表示することが可能となる。
【００３６】
また、上記の第１から第３の条件を満たす場合、デジタルカメラ１００は、図５（ａ）に示すガイドに加えて、バッテリ３００の電圧を表示する。よって、ユーザは、ガイドの通りにバッテリ３００をデジタルカメラ１００に接続することと、デジタルカメラ１００とレコーダ２００とバッテリ３００とを接続してバッテリ３００の電圧の表示を継続することとを選択できる。
また、デジタルカメラ１００が撮像等で取得した映像データの記録先がレコーダ２００の場合は、デジタルカメラ１００は、ガイドを表示せずに、バッテリ３００の電圧を表示する。したがって、ユーザが誤ってレコーダ２００を取り外すことが防止される。
【００３７】
（第２の実施形態）
次に、第２の実施形態について説明する。以下に記載する第２の実施形態の説明では、上記の第１の実施形態と共通する事項について説明を省略し、上記の第１の実施形態と異なる事項についての説明を行う。また、第１の実施形態と同じ要素については同じ符号を付しており、その詳細な説明は省略する。
図４を参照して、第２の実施形態におけるデジタルカメラ１００の表示処理について説明する。図４は、第２の実施形態におけるデジタルカメラ１００の表示処理の一例を示すフローチャートである。図４の処理は、システム制御部５０が不揮発性メモリ５６に記録されたプログラムをシステムメモリ５２に展開して実行することで実現する。図４の処理は、デジタルカメラ１００に電源が入り、表示部２８への表示が可能になると開始する。
【００３８】
Ｓ４０１において、デジタルカメラ１００のシステム制御部５０は、外部Ｉ／Ｆ７７の出力信号に基づいて、デジタルカメラ１００とレコーダ２００とが接続しているか否かを判定する。システム制御部５０は、デジタルカメラ１００とレコーダ２００とが接続していると判定した場合、処理をＳ４０２に進め、接続していないと判定した場合、処理をＳ４０９に進める。
Ｓ４０２において、システム制御部５０は、電源制御部８０の出力信号に基づいて、デジタルカメラ１００への電力の供給元がレコーダ２００に接続したバッテリ３００であるか否かを判定する。システム制御部５０は、デジタルカメラ１００への電力の供給元がレコーダ２００に接続したバッテリ３００であると判定した場合、処理をＳ４０３に進める。システム制御部５０は、デジタルカメラ１００への電力の供給元がレコーダ２００に接続したバッテリ３００ではなく、デジタルカメラ１００の電源Ｉ／Ｆ７５がＡＣアダプタを介して接続したＡＣ電源であると判定した場合、処理をＳ４０８に進める。
【００３９】
Ｓ４０３において、システム制御部５０は、不揮発性メモリ５６等に記録された設定情報に基づいて、映像データの記録先がデジタルカメラ１００の記録媒体７３であるか否かを判定する。システム制御部５０は、映像データの記録先が記録媒体７３であると判定した場合、処理をＳ４０４へ進める。システム制御部５０は、映像データの記録先が、記録媒体７３ではなく、レコーダ２００であると判定した場合、処理をＳ４０７へ進める。
【００４０】
Ｓ４０４において、システム制御部５０は、レコーダ省電力設定がオンであるか否かを判定する。レコーダ省電力設定は、デジタルカメラ１００がレコーダ２００を省電力モードにするか否かを示す設定である。レコーダ省電力設定は、デジタルカメラ１００の設定項目の一つであり、不揮発性メモリ５６に記録されている。システム制御部５０は、不揮発性メモリ５６からレコーダ省電力設定を取得する。システム制御部５０は、レコーダ省電力設定がオンであると判定した場合、処理をＳ４０５に進め、レコーダ省電力設定がオフであると判定した場合、処理をＳ４０６に進める。
【００４１】
Ｓ４０５において、システム制御部５０は、外部Ｉ／Ｆ７７を介して、レコーダ２００に省電力命令を通知する。レコーダ２００のＣＰＵ２０２は、外部Ｉ／Ｆ７７を介して、デジタルカメラ１００から省電力命令を取得する。そして、ＣＰＵ２０２は、レコーダ２００を省電力モードにするよう制御する。本実施形態では、省電力モードは、レコーダ２００の電源がオフになっている状態である。レコーダ２００が省電力モードになることで、通常モードの場合と比べて、レコーダ２００が消費するバッテリ３００の電力が小さくなる。したがって、バッテリ３００によるデジタルカメラ１００の駆動時間が長くなる。
また、システム制御部５０は、レコーダ２００に省電力命令を通知した後に、図５（ｂ）に示すように、表示部２８にガイドを表示するよう制御する。また、システム制御部５０は、表示部２８の電源電圧表示領域にバッテリ３００の電圧を表示しないよう制御する。Ｓ４０５で表示されるガイドは、レコーダ省電力設定がオンのためレコーダ２００からバッテリ情報を取得できない旨を示す。
【００４２】
Ｓ４０６において、システム制御部５０は、図５（ａ）に示すように、表示部２８にガイドを表示するよう制御する。Ｓ４０６で表示されるガイドは、バッテリ３００をデジタルカメラ１００に直接接続することでバッテリ３００によるデジタルカメラ１００の駆動時間を長くできる旨を示すメッセージである。Ｓ４０６に進んだ場合、レコーダ省電力設定はオフであり、バッテリ３００の電圧等を表示するためにレコーダ２００は起動している状態である。よって、バッテリ３００の消費電力が高い。バッテリ３００の消費電力を抑えて、デジタルカメラ１００の駆動時間を長くするためには、Ｓ４０６で表示されるガイドが示すように、バッテリ３００をデジタルカメラ１００に直接接続することが好ましい。
【００４３】
Ｓ４０７の処理は、図３のＳ３０５の処理と同様である。
Ｓ４０８の処理は、図３のＳ３０６の処理と同様である。
Ｓ４０９の処理は、図３のＳ３０７の処理と同様である。ただし、Ｓ４０９において、システム制御部５０は、デジタルカメラ１００への電力の供給元がＡＣ電源であると判定した場合、処理をＳ４０８に進める。システム制御部５０は、デジタルカメラ１００への電力の供給元がＡＣ電源ではなく、デジタルカメラ１００に接続したバッテリ３００であると判定した場合、処理をＳ４１０に進める。
Ｓ４１０の処理は、図３のＳ３０９の処理と同様である。
Ｓ４０５からＳ４０８、Ｓ４１０の処理は、表示制御処理の一例である。
【００４４】
以上説明したように、レコーダ省電力設定がオンである場合、Ｓ４０５において、デジタルカメラ１００は、レコーダ２００を省電力モードにするよう制御する。よって、レコーダ２００が映像データを記録していない場合、レコーダ２００は省電力モードになり、レコーダ２００を動作させるためのバッテリ３００の電力が抑制される。したがって、バッテリ３００によるデジタルカメラ１００の駆動時間を、レコーダ２００が通常モードの場合と比べて長くできる。このため、バッテリ３００を効率的に使用できる。
【００４５】
（変形例）
デジタルカメラ１００には、設定項目として、ガイドの表示設定があってもよい。ガイドの表示設定には、記録時間優先、バッテリ電圧表示優先及び非通知の何れかが設定される。ガイドの表示設定は、例えば、デジタルカメラ１００の不揮発性メモリ５６に記録される。記録時間優先は、第１の設定の一例である。バッテリ電圧表示優先は、第２の設定の一例である。
図３のＳ３０４及び図４のＳ４０６において、システム制御部５０は、ガイドの表示設定に基づいてガイドの表示を変更する。ガイドの表示設定が記録時間優先の場合、システム制御部５０は、上記の図３のＳ３０４及び図４のＳ４０６で説明したガイドを表示するよう制御する。ガイドの表示設定がバッテリ電圧表示優先の場合、システム制御部５０は、表示部２８に、バッテリ電圧表示優先用のガイドを表示するよう制御する。バッテリ電圧表示優先用のガイドは、レコーダ２００をデジタルカメラ１００に取り付けたままの使用を継続することでデジタルカメラ１００の表示部２８にバッテリ３００の電圧が表示される旨を示す。ガイドの表示設定が非通知の場合、システム制御部５０は、表示部２８にガイドを表示しないよう制御する。
これにより、ユーザの意図に沿ったガイドの表示又は非表示が可能となる。
【００４６】
また、上記の実施形態では、省電力モードは、レコーダ２００の電源がオフになっている状態である。しかし、省電力モードは、レコーダ２００の電源がオフにはなっておらず、通常モードより消費電力が低い状態で所定の動作を行うことができるような状態であってもよい。
【００４７】
（その他の実施形態）
本発明は、上述の実施形態の１以上の機能を実現するプログラムを、ネットワーク又は記録媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４８】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
例えば、デジタルカメラ１００やレコーダ２００のハードウェア構成として、ＣＰＵは複数存在してもよく、複数のＣＰＵが各装置のＨＤＤ等に記録されているプログラムに基づき処理を実行するようにしてもよい。また、デジタルカメラ１００やレコーダ２００のハードウェア構成として、ＣＰＵに替えてＧＰＵ（Ｇｒａｐｈｉｃｓ  Ｐｒｏｃｅｓｓｉｎｇ  Ｕｎｉｔ）を用いることとしてもよい。デジタルカメラ１００やレコーダ２００の機能の一部は、ハードウェアとして実装されてもよい。また、上記の実施形態を任意に組み合わせてもよい。
【００４９】
以上、上述した実施形態によれば、バッテリ３００を効率的に使用できる
【符号の説明】
【００５０】
２８  表示部
５０  システム制御部
７５  電源Ｉ／Ｆ
７７  外部Ｉ／Ｆ
１００  デジタルカメラ
２００  レコーダ
２０６  外部Ｉ／Ｆ
３００  バッテリ
【図１】
2020010259.tif 000003
【図２】
2020010259.tif 000004
【図３】
2020010259.tif 000005
【図４】
2020010259.tif 000006
【図５】
2020010259.tif 000007